(57)【要約】【課題】大きな表示画面が配設され小さな操作子が配設されたとしてもその操作子の操作が行い難くなるといったことがない機器を提供する。【解決手段】  第１の筐体１０の、閉状態における第２の筐体１１を向いた面に設けられた、所定時間よりも短時間内の押操作と所定時間を越えて押し続ける押操作とで異なる指示を与える、小さな押ボタン１９を設ける。閉状態においてその押ボタン１９を押し続けるとともに開状態においてその小さな押ボタン１９を開放するボス１０１を第２の筐体１１に設ける。【選択図】  図２
2006135893.tif 000002
【特許請求の範囲】
【請求項１】
相互に開閉自在な第１の筐体および第２の筐体とを備えた機器において、
前記第１の筐体の、閉状態における前記第２の筐体を向いた面に設けられた、所定時間よりも短時間の押操作と所定時間を越えて押し続ける押操作とで異なる指示を与える押ボタンと、
前記第２の筐体の、閉状態における前記第１の筐体を向いた面に設けられた、閉状態において前記押ボタンを押し続けるとともに開状態において前記押ボタンを開放する押圧部とを備えたことを特徴とする機器。
【請求項２】
前記押ボタンは、前記所定時間を越えて押し続ける押操作により電源をオフにするものであることを特徴とする請求項１記載の機器。
【請求項３】
前記押ボタンは、押圧から開放されることにより電源をオンにするものであることを特徴とする請求項２記載の携帯機器。
【請求項４】
この機器が、被写体の結像を受け撮影操作に応じて画像信号を生成する撮像素子と、画像信号に基づく画像を表示する表示画面とを備え、撮影操作を受けて画像信号を生成する撮影モードと、撮影により得られた画像信号に基づく画像を前記表示画面上に再生表示する再生モードとを有し、
前記押ボタンは、前記所定時間を越えて押し続けることにより前記撮影モードに移行させるものであることを特徴とする請求項１記載の機器。
【請求項５】
前記押ボタンは押圧から開放されたことにより前記再生モードに移行させるものであることを特徴とする請求項４記載の携帯機器。
【発明の詳細な説明】
【技術分野】
【０００１】
本発明は、相互に開閉自在な第１の筐体と第２の筐体とを備えた機器に関する。
【背景技術】
【０００２】
カメラ付き携帯電話機のような機器の中には相互に開閉自在な第１の筐体と第２の筐体とを備えたものがある。このようなカメラ付き携帯電話機においては、第１の筐体と第２の筐体とが開状態になったときに操作子が操作可能な状態になって操作され、閉状態にあるときには操作が行なえないものが大半を占める。このような構成では開状態にしないと操作が行なえないので、閉状態にあっても操作が行なえるように工夫を施したものもある（例えば特許文献１参照）。また、このようなカメラ付き携帯電話機ではないが、デジタルカメラの中には、スライド操作によって第１の筐体と第２の筐体とがずれていずれかの内壁側に設けられている撮影レンズや表示画面の姿が現れてカメラとしての機能が果たされるものもある（例えば特許文献２参照）。この特許文献２のものは、スタイリッシュなデザインを得ることができるという利点やレンズおよび表示画面の保護機能を達成する構造を簡単に実現することができるという利点を有している。この特許文献２のものでは、表示画面を大きくして表面に露出する面積を増やしたとしても表示画面をどこかにぶつけて割ってしまう恐れがない。
【０００３】
しかしながら、大きな表示画面を機器の表面に配設しようとすると、表示画面の配設スペースが拡がった分、撮影操作に係る操作ボタンや操作指示を与える各種操作キーの配設スペースが狭くなり、操作キーを通常の大きさのものよりも小さなものに切り替えなければならないことがある。このように表示画面を大きくして操作キーを小さなものに切り替えてしまうと、表示画面上の画像は見易くなるものの、操作キーの操作が行ない難くなってしまうことがある。
【特許文献１】特開２０００−３８０７３９号公報
【特許文献２】特開２００４−１０４２０７号公報
【発明の開示】
【発明が解決しようとする課題】
【０００４】
本発明は、上記事情に鑑み、大きな表示画面が配設され小さな操作子が配設されたとしてもその操作子の操作が行い難くなるといったことがない機器を提供することを目的とする。
【課題を解決するための手段】
【０００５】
上記目的を達成する本発明の機器は、相互に開閉自在な第１の筐体および第２の筐体とを備えた機器において、
上記第１の筐体の、閉状態における上記第２の筐体を向いた面に設けられた、所定時間よりも短時間の押操作と所定時間を越えて押し続ける押操作とで異なる指示を与える押ボタンと、
上記第２の筐体の、閉状態における上記第１の筐体を向いた面に設けられた、閉状態において上記押ボタンを押し続けるとともに開状態において上記押ボタンを開放する押圧部とを備えたことを特徴とする。
【０００６】
上記本発明の機器によれば、上記第１の筐体の、閉状態における上記第２の筐体を向いた面に設けられた押ボタンが、上記第２の筐体の、開状態における上記第１の筐体を向いた面に設けられた、閉状態において上記押ボタンを押し続けるとともに開状態において上記押ボタンを開放する押圧部により押され続けたり、開放されたりする。上記所定時間よりも短時間の押操作の中に、その開放された状態を含むものとすると、第１の筐体と第２の筐体の、閉状態と開状態とで異なる指示をこの機器に与えることができるようになる。
【０００７】
その結果、上記第１の筐体、あるいは第２の筐体の開閉操作により小さな押しボタンが操作され小さな操作子であっても操作が行い難くなることがない機器が実現される。
【０００８】
また、上記押しボタンを小さなものとしてシャープペンのペン先などで上記所定時間よりも短時間、押操作した場合には、例えば‘リセットしますか？’などのメッセージが表示されるリセット画面を表示するような構成にしておくと良い。このようにしておくと、通常はその押しボタンが誤まって操作される率が低減され、非常時にのみ押し操作が有効になる機器が構成される。
【０００９】
ここで、上記押ボタンは、上記所定時間を越えて押し続ける押操作により電源をオフにし、また上記押ボタンは、押圧から開放されることにより電源をオンにする電源スイッチとして用いられるものであっても良く、他の機能を持つスイッチとして用いられるものであっても良い。
【００１０】
例えば、この機器が、被写体の結像を受け撮影操作に応じて画像信号を生成する撮像素子と、画像信号に基づく画像を表示する表示画面とを備え、撮影操作を受けて画像信号を生成する撮影モードと、撮影により得られた画像信号に基づく画像を上記表示画面上に再生表示する再生モードとを有するものであったとすると、
上記押ボタンは、上記所定時間を越えて押し続けることにより上記撮影モードに移行させるものであることが好ましい。さらに上記押ボタンは押圧から開放されたことにより上記再生モードに移行させるものであることが好ましい。
【００１１】
このようにこの機器が撮影を行なうことができるようなものであった場合には、上記押しボタンを再生モードと撮影モードとを切り替える切替スイッチとして用いることもできる。
【発明の効果】
【００１２】
以上、説明したように、大きな表示画面が配設され小さな操作子が配設されたとしてもその操作子の操作が行い難くなるといったことがない機器が実現される。
【発明を実施するための最良の形態】
【００１３】
本発明の一実施形態として機器の一例にあたるデジタルカメラを掲げて以降説明する。      
【００１４】
図１、図２は、そのデジタルカメラ１の外観を示す図である。
【００１５】
図１（ａ）には、デジタルカメラ１が閉状態にあるときの、デジタルカメラの背面図が示されており、図１（ｂ）には、同じく閉状態にあるときの、デジタルカメラ１の正面図が示されている。図２（ａ）には、デジタルカメラ１が開状態にあるときの、デジタルカメラの背面図が示されており、図２（ｂ）には、同じく開状態にあるときの、デジタルカメラ１の正面図が示されている。
【００１６】
図１、図２に示すデジタルカメラ１は、相互に開閉自在な第１の筐体１０および第２の筐体１１とを備えている。第１の筐体１０と第２の筐体１１とは相互にヒンジ接続されていて、図１に示すように第１の筐体１０と第２の筐体１１とが折畳まれると閉状態になり、第１の筐体が第２の筐体に対して回動されたら、あるいは第２の筐体が第１の筐体に対して回動されたら図２に示す開状態になる。
【００１７】
その閉状態にあるときの、デジタルカメラ１の正面側には図１（ｂ）に示すように撮影レンズ１２０や測光部１２１や閃光発光部１２２などが備えられており、測光部１２１により測定された被写体輝度によっては閃光発光部１２２から撮影補助光が発光されて撮影が行なわれるようになっている。
【００１８】
この例では、この閉状態にあるときにはファインダとなる表示画面１００が表から見えない位置にあるため撮影を行なうことができないが、図２に示すように第１の筐体１０が第２の筐体１１に対し回動されて開状態になると、ファインダとなる表示画面１００が見える位置に現れるとともに電源が自動的に投入され、このデジタルカメラ内部が撮影モードになって撮影が行なえる状態になる。
【００１９】
このように撮影が行なえる状態になっているときには、第１の筐体１０の、閉状態における第２の筐体１１を向いた面に設けられたいままでよりもやや大きめの表示画面１００が表から見えるところに位置し、さらに第２の筐体１１の、閉状態における第１の筐体１０を向いた面に設けられた操作子群１３〜１９も表から見えるところに位置して操作子群の操作を行ないながら撮影が行なえる状態になる。この操作子群の中には後述する再生モードを指定する再生モードスイッチ１５などがある。
【００２０】
またその操作子群の中には、第１の筐体１０の開閉操作にしたがって供に動くボス１０１により操作される押しボタン１９もあり、その押しボタン１９は通常のものよりも小さく、通常であれば操作し難いものである。ここでは、電源スイッチを削除し、かつ操作子が配設されている面のスペースを有効に活用するために、その押ボタン１９が配置されている部分と対抗する、第１の筐体１０側の表面にその押ボタン１９を押すことができるように前述のボス１０１が設けられている。このボス１０１は、閉状態において押ボタン１９を押し続けるとともに開状態においてその押ボタン１９を開放するものである。つまり、この押しボタンは、人の手によって操作されるのではなく、第２の筐体１１が第１の筐体１０に対して回動操作されたときに供に動くボスによって操作される。
【００２１】
すなわち、この押しボタンスイッチ１９が、本発明にいう押しボタンにあたり、第１の筐体の、閉状態における第２の筐体１１を向いた面に設けられた、所定時間よりも短時間内の押操作と所定時間を越えて押し続ける押操作とで異なる指示を与えるものである。ここでは、上記所定時間よりも短時間の押操作の中に、その開放された状態を含むものとして第１の筐体１０と第２の筐体１１の、閉状態と開状態とで異なる指示をこの機器に与えることができるようにしてある。この指示を与えるために押しボタンを操作する部位としてボス１０１が設けられている。このボス１０１が、本発明にいう押圧部にあたり、第２の筐体１１の、閉状態における第１の筐体１０を向いた面に設けられた、閉状態において押ボタンスイッチ１９を押し続けるとともに開状態において押ボタンスイッチ１９を開放するものである。
【００２２】
この例においては、上記押ボタンスイッチ１９が、所定時間を越えて押し続ける押操作、つまり第１の筐体１０と第２の筐体１１とが閉状態にあるときにボス１０１により押し続けられ、後述する押しボタンスイッチの可動接点と固定接点とが離れた状態になってバッテリＢｔから各部へ電力を供給する経路が断たれる。これに対し第１の筐体１０と第２の筐体１１とが開状態になると、押しボタンスイッチ１９がボス１０１の押圧から開放され、押しボタンスイッチ１９の可動接点と固定接点とが接続されバッテリＢｔから各部へ電力を供給する経路が確立される。このように経路が確立されるとバッテリＢｔから各部へ電力が供給されこの機器が動作状態になる。
【００２３】
このようにすると、人が操作する必要のある電源スイッチが削除され、いままでよりも小さな操作子（上記押ボタンスイッチ１９）を電源スイッチとして作用させることによりその操作子の操作を直接行なわなくて済むデジタルカメラが実現される。
【００２４】
また、表示画面と操作子群とが各々、相互に開閉自在に開閉する第１の筐体と第２の筐体のうちの第２の筐体の閉状態における第１の筐体を向いた面に設けられていると、携帯中に表示画面と操作子とが表面に表れることがないため、表示画面が壊れるなどの破損が発生し難くなるという効果も得られる。
【００２５】
このようにして大きなＬＥＤを配設して小さな操作子を配設したとしても、操作子が操作し難くなることなく、高い操作性と優れた視認性を兼ね備えたデジタルカメラが実現される。
【００２６】
ここで、デジタルカメラ１００の内部構成を、図３を参照して説明する。
【００２７】
図３は、デジタルカメラ１００の内部構成を示す図である。
【００２８】
まず、デジタルカメラ１００の内部構成を簡単に説明する。
【００２９】
図３に示すように押しボタンスイッチ１９は、可動接点１９ａと固定接点１９ｂ，１９ｃとを持っており、その押しボタンスイッチ１９の可動接点部１９ａが押圧部であるボス１０１により押されると（図中点線の矢印で示す方向）、その可動接点部１９ａが固定接点１９ｂ，１９ｃから離れて開状態になるのでバッテリＢｔと各部との接続が断たれるようになる。図１に示す閉状態にあるときには、バッテリＢｔからの各部への電力供給が断たれるため、このデジタルカメラ１は動作しない。
【００３０】
これに対し図１に示す閉状態から第１の筐体１０が第２の筐体１１に対して回動され第１の筐体とともにボス１０１が回動され開状態になると、ボス１０１の押しボタン１９への押圧が開放され可動接点部１９ａが固定接点１９ｂ，１９ｃ側（図中実線の矢印で示す方向）に移動して固定接点１９ｂ，１９ｃが可動接点１９ａにより接続されバッテリＢｔから各部側へ電力が供給される。このときには検出部１１０２により電圧の変化が検出されその検出結果がＣＰＵ１１０へ通知され、その通知を受けてＣＰＵ１１０は電源オンであることを検知してＲＯＭ１１０ｂ内の撮影モードプログラムを起動する。
【００３１】
このようにして撮影モードプログラムが起動されると、このデジタルカメラ１は動作状態になる。
【００３２】
以降、デジタルカメラ１の撮影動作を、構成を交えて説明する。
【００３３】
デジタルカメラ１は、撮影レンズ１２０を備えており、その撮影レンズ１２０で被写体を撮像素子１１１に結像させている。その被写体を結像させた撮像素子１１１で被写体を表すアナログ信号の画像データを生成して、後段のＣＤＳＡＭＰ１１２へと出力させ、さらにＡ／Ｄ部１１３でそのアナログ信号の画像データをデジタル信号の画像データに変換させた後、デジタル信号になった画像データを、一旦データバス１１０１を介して画像バッファメモリ１１４へ記憶させるようにしている。そしてこの画像バッファメモリ１１４に記録されている画像データに基づくスルー画像を、表示制御部１５０の制御の基、表示画面１００上に表示させている。このときにはクロックジェネレータ（以降ＣＧという）１１０ａから例えば所定の間隔（例えば３３ｍｓ）ごとに出力タイミングを知らせるタイミング信号が撮像素子１１１へ供給され撮像素子１１１から次々と画像データが出力され画像バッファメモリ１１４の内容がその都度書き換えられるようになっている。したがって、この画像バッファメモリ１１４内にある画像データに基づく画像が表示画面１００上に表示されると、所定の間隔ごとに画像が切り替えられてあたかも動画像が表示されているようになる。この画像をスルー画像と称している。撮影者によってそのスルー画像が確認されながらシャッタチャンスにレリーズ釦１２が押下されたら、メインＣＰＵ１１０がそのレリーズ釦１２の押下タイミングを、ＣＧ１１０ａを介して撮像素子１１１に通知する構成になっている。
【００３４】
図３に示すとおり、ここでは、撮像素子１１１の他、ＣＤＳＡＭＰ１１２とＡ／Ｄ部１１３とで同期して処理が行なわれるように、メインＣＰＵ１１０の制御の基に上記ＣＧ１１０ａから各部にクロック信号が供給されるようになっている。このようにしておくと、撮像素子１１１で生成されたアナログの画像信号が所定の間隔ごとに確実にデジタルの画像データに変換されるとともに、レリーズ釦１２の押下時にもそのレリーズ釦１２の押下タイミングに合わせて各部を動作させることができるようになる。
【００３５】
そしてデジタルの画像信号に変換された後にあっては、メインＣＰＵ１１０の制御の基にデータバス１１０１を介して画像データのやりとりが信号処理部１１５を初めとする各部の間で行なわれるようになる。
【００３６】
以降においては、撮影操作時にデータバス１１０１を経由して画像データがメモリカードにどのようにして記録されるかを説明する。
【００３７】
まず、デジタル信号になった画像データが、一旦画像バッファメモリ１１４にすべて記憶され、その画像バッファメモリ１１４に記憶された画像データが、メインＣＰＵ１１０の制御の基にデータバス１１０１を経由して信号処理部１１５へ供給され信号処理部１１５で画像データに信号処理が施される。その信号処理部１１５で信号処理された画像データは、メインＣＰＵ１１０の制御の基に今度は圧縮伸張部１１６へ供給されその圧縮伸張部１１６で圧縮処理が施され、さらにその圧縮処理が施された画像データがメモリカードＩ／Ｆ１１７へ供給されメモリカードＩ／Ｆ１１７によってメモリカード２００に画像データが記録される。このメモリカードＩ／Ｆ１１７によってメモリカード２００に画像データが記録されるときには、その画像データに撮影日時やサムネイル画像データなどのヘッダ情報が付加され、ヘッダと画像データとで構成される画像ファイルとなって画像データがメモリカード２００に記録される。
【００３８】
また、再生モードボタン１５が操作され再生モードになると、メモリカードに記録されている画像ファイルの中の画像データに基づく画像が表示画面上に再生表示される。
【００３９】
図４は、ＣＰＵ１１０が行なう処理の手順を示すフローチャートである。
【００４０】
ステップＳ４０１で、第１の筐体と第２の筐体とが折畳まれて閉状態にあるときにもＣＰＵ１１０は動作して押しボタンスイッチ１９の動作状況を監視している。このときに、第１の筐体１０が第２の筐体１１に対し回動されその回動により押しボタン１９がオフからオン状態に遷移したことを検出部１１０２の検出結果に基づいて検知したら撮影モードを起動する。
【００４１】
次のステップＳ４０３で撮影モードのままであるかどうかを判定する。もしも再生ボタン１５が操作されて再生モードになっていたらＮｏ側へ進みステップＳ４０６で再生モードプログラムを起動してステップＳ４０４へ進む。またステップＳ４０３で撮影モードのままであると判定したらＹｅｓ側へ進みステップＳ４０４で、第１の筐体、あるいは第２の筐体が回動操作され押しボタンスイッチがオフ状態になっているかどうかを判定する。ここで、さらにそのオフ状態が継続されている時間を計って、このステップＳ４０４で押しボタンスイッチのオフ状態が所定の時間よりも短時間であると判定したらＮｏ側に進みステップＳ４０３へ戻る。またこのステップＳ４０４で押しボタンスイッチのオフ状態が所定の時間以上であると判定したら電源オフ操作であるとしてＹｅｓ側に進み、スリープモードに入り、ステップＳ４０１へ戻り、押しボタンスイッチ１９が操作されるのを待ち受ける。
【００４２】
このようにしておくと、第１の筐体１０あるいは第２の筐体１１を、第２の筐体１１あるいは第１の筐体１０に対して回動するという操作を行なうことで電源が投入されるデジタルカメラが構成される。そうすると、電源スイッチが削除され、いままでよりも小さなスイッチを、いままで操作子が配備されたところに配備することができるようになり、さらに操作子を配備しない面側にいままでよりも大きな表示画面を持つ表示装置を配設することができるようになる。
【００４３】
以上説明したように、大きな表示画面が配設され小さな操作子（押しボタン１９）が配設されたとしてもその操作子の操作が行い難くなるといったことがない機器が実現される。
【００４４】
なお、メインＣＰＵ側は、押しボタンの押し操作の時間をタイマーなどにより検出しているので、所定時間よりも短時間の押し操作があった場合にはその押し操作中に得られるスパイク状のパルス波形からなる信号をリセット信号として扱うような構成に拡張することができる。
【００４５】
本発明の別の実施形態を説明する。
【００４６】
図５、図６は、第２実施形態であるデジタルカメラの外観を示す図である。
【００４７】
図５（ａ）には、閉状態にあるときのデジタルカメラ２の背面図が示されており、図５（ｂ）には、閉状態にあるときのデジタルカメラ２の正面図が示されている。
【００４８】
図６（ａ）には、開状態にあるときのデジタルカメラ２の背面図が示されており、図６（ｂ）には、開状態にあるときのデジタルカメラ２の正面図が示されている。
【００４９】
図１のデジタルカメラの構成とほぼ同様の構成であるが、図１では閉状態にあるときに撮影が行なえなかったのに対し、図５では閉状態にあるときにも撮影が行なえるものに改良している。図５、図６には背面側に撮影用の相対的に小さな表示画面２５やズームスイッチ２３や撮影モードダイヤル２４が配備され閉状態にあるときにも相対的に小さな表示画面２５をファインダ代わりにして撮影が行なえることが示されている。また、図１、図２では電源スイッチを削除していたのに対し、図５、図６では電源スイッチ２１をボディ上面に設けて、図１、図２では電源スイッチとして用いていた押しボタンスイッチ２９２を、撮影モードと再生モードとを切り替える切替スイッチとして用いている。
【００５０】
つまり、本実施形態のデジタルカメラは、図５の閉状態にあるときに電源スイッチ２１が投入されるとデジタルカメラ本来の機能であるカメラとして機能し図６の開状態にあるときに電源スイッチ２１が投入されると再生装置として機能する。
【００５１】
図１、図２ではファインダ用、再生用として表示画面を兼用していたが、本実施形態では、閉状態にあるときの第２の筐体２０ｂの背面側にファインダとして小さな表示画面２５を、開状態にあるときの第２の筐体の正面側に再生用として大きな表示画面２６をそれぞれ別々に設けて使い勝手の向上を図っている。
【００５２】
図７は、図５、図６のデジタルカメラ内部に配備されているＣＰＵが行なう処理の手順を示すフローチャートである。
【００５３】
電源スイッチが投入されたらこのフローの処理を開始する。
【００５４】
ステップＳ７０１で、押しボタンスイッチ２９の動作状態を判定している。このときに、第１の筐体２０ａと第２の筐体２０ｂとが折畳まれて閉状態にあって押しボタン２９２が押され続けてスイッチＯｆｆであると判定したら、Ｎｏ側へ進み、ステップＳ７０２で押しボタンスイッチのＯｆｆ状態の継続時間が所定時間以上であるかどうかを判定する。このステップＳ７０２で所定時間以上経過していると判定したら、Ｙｅｓ側へ進み次のステップＳ７０３で撮影モードを起動する。ステップＳ７０３で所定時間よりも短時間の操作であると判定したらＮｏ側へ進み、ステップＳ７０１へ戻る。
【００５５】
また、このステップＳ７０１で第１の筐体２０ａあるいは第２の筐体２０ｂが第２の筐体２０ｂあるいは第１の筐体２０ａに対して回動されスイッチｏｎ状態になっていたらＹｅｓ側へ進みステップＳ７０４で再生モードを起動する。
【００５６】
再生モード、撮影モードのいずれが起動されたら、ステップＳ７０５で電源オフスイッチがオフされているかどうかを判定し、電源スイッチがオフされていなかったらＮｏ側へ進み、ステップＳ７０１へ戻り、オフされていたらＹｅｓ側へ進みこのフローの処理を終了する。
【００５７】
図８は第３実施形態を示す図である。
【００５８】
図８は、図５、図６の構成のうち、表示画面２６と操作子群２７〜２９の配置を入れ替えた場合の例を示す図である。このような構成にしても良い。
【００５９】
以上、説明したように、大きな表示画面が配設され小さな操作子が配設されたとしてもその操作子の操作が行い難くなるといったことがない機器が実現される。
【図面の簡単な説明】
【００６０】
【図１】閉状態にあるときのデジタルカメラ１の外観を示す図である。
【図２】開状態にあるときのデジタルカメラの外観を示す図である。
【図３】図１、図２に示すデジタルカメラ１００の内部構成を示す図である。
【図４】ＣＰＵが行なう処理の手順を示すフローチャートである。
【図５】第２実施形態であるデジタルカメラの外観を示す図である。
【図６】図５と同じデジタルカメラの、別角度からの外観を示す図である。
【図７】図５のデジタルカメラ内部に配備されたＣＰＵが行なう処理の手順を示すフローチャートである。
【図８】第３実施形態であるデジタルカメラの外観を示す図である。
【符号の説明】
【００６１】
１  デジタルカメラ（第１実施形態）
１０    第１の筐体
１１    第２の筐体
１２    レリーズボタン
１３    十字キー
１４    ズームスイッチ
１５〜１８    操作子
１９    押しボタンスイッチ
１００    表示画面
１１０    メインＣＰＵ
１１１    撮像素子
１１２    ＣＤＳＡＭＰ
１１３    Ａ／Ｄ部
１１４    画像バッファメモリ
１１５    信号処理部
１１６    圧縮・伸張部
１１７    メモリカードＩ／Ｆ
１２０    撮影レンズ
２    デジタルカメラ（第２、第３実施形態）
２０ａ  第１の筐体
２０ｂ  第２の筐体
２１    電源スイッチ
２２    レリーズボタン
２３    ズームスイッチ
２４    モードダイヤル
２５    相対的に小さな表示画面
２６    相対的に大きな表示画面
２７    十字キー
２８〜２９１    操作子
２９２        押しボタンスイッチ
【図１】
2006135893.tif 000003
【図２】
2006135893.tif 000004
【図３】
2006135893.tif 000005
【図４】
2006135893.tif 000006
【図５】
2006135893.tif 000007
【図６】
2006135893.tif 000008
【図７】
2006135893.tif 000009
【図８】
2006135893.tif 000010